(57)【要約】小児用の流体吸入システムであって、小児用の変化マットであって、マットは変化マット上に載置された小児の重量に応答する計量パッドを含むかまたは支持する、変化マットと、食事の前後においてマット上に載置された小児の重量増加または吸入流体体積を示す計量パッドに応答するディスプレイとを備えたシステムが与えられる。実施形態において、当該システムは、キャリングバッグと一体的に形成される。格納状態で折りたたまれたときマットは、バッグの外面に対して配置し、動作状態で広げられたときマットはバッグの側面の下側から外側に伸長する。
2014525029.tif 000002
【特許請求の範囲】
【請求項１】
小児用の流体吸入システムであって、
小児がその上に載置されることで重量を計量する変化マットであって、前記マットの内部または前記マットに支持され、前記重量に応答する計量パッドを含む、変化マットと、
食事の前後において、前記計量パッドに応答して、前記マット上に載置された前記小児の前記重量の増加または吸入流体の体積を表示するディスプレイと、
を備えたシステム。
【請求項２】
前記計量パッドは、液体、気体またはゲルを含む充満物で満たされた薄くて折りたたみ可能なパッドであり、前記計量は前記小児の体重下の前記充満物の圧力を検出することにより実行される、請求項１に記載のシステム。
【請求項３】
前記変化マットは、前記マットの長手方向に一列に配列された２つ以上の電気式計量パッドを含むかまたは支持し、かつ、相互に接続され、前記ディスプレイは検出された累積重量に応答する、請求項１に記載のシステム。
【請求項４】
前記変化マットは隣接するパッド間の一つ以上のゾーンに関して折りたたむことができる、請求項３に記載のシステム。
【請求項５】
キャリングバッグに一体的に形成され、格納状態で折りたたまれたとき前記マットは、前記バッグの外側に対向して位置し、動作状態で広げられたとき前記マットは前記バッグの前記側面の下側から外側に伸長する、請求項１から４のいずれか一項に記載のシステム。
【請求項６】
前記バッグの前記側面は概して平坦であり、前記マットは実質的に前記側面を包囲するように平坦な前記側面に対向して配置される、請求項５に記載のシステム。
【請求項７】
前記ディスプレイは、前記バッグの前記側面に配置され、前記変化マットが折りたたまれた格納状態で前記マットにより包囲され、前記マットが広げられた動作状態でユーザに見えるように露出される、請求項６に記載のシステム。
【発明の詳細な説明】
【技術分野】
【０００１】
本願は、吸入によって、母乳、または粉ミルク、または流動食などの吸入量を決定するための装置に関する。本願発明は、食事の際に、吸入によって消費されるミルク、液体または食物の量を決定するための小児用変化マットに関連する計量装置に関し、吐き出しおよび尿漏れによって失われる量を決定するのにも使用される。
【発明の概要】
【課題を解決するための手段】
【０００２】
本願により、吸入用の変化マットを含む吸入用の液体吸入計量システムが与えられる。当該変化マットは、変化マット上に配置された吸入重量に応答する計量パッドを保持または支持する。また、食事の前後において当該マット上に配置され、小児の吸入重量の増加および流体体積を示す計量パッドに応答するディスプレイを含む。
【０００３】
ひとつの実施形態において、計量パッドは、水などの液体、空気などの気体またはゲルが充満した薄い折りたたみ式のパッドである。重量測定は、小児の体重がかかった充満材の圧力を検出することにより実行される。変化マットは、小体積に折りたたむことができ、システム全体を容易に格納可能でありかつ輸送可能である。
【０００４】
他の実施形態において、マットは、当該マットの長さ方向に直列に配置された二つ以上の電気式計量パッドを含む。ディスプレイは、当該マット上に連続して配置された小児によって検出される累積重量に応答する。
【０００５】
本願発明の好適実施形態は以下の図面を参照することにより、詳細に説明される。
【図面の簡単な説明】
【０００６】
【図１】計量パッド用の内側ポケットおよびディスプレイ用の内側ポケット並びに他のアイテムが露出した広げた状態の第１実施形態および変化マットを概略的に示したものである。
【図２】変化マットが広げられた状態であり、変化マットがキャリーバックと一体化した第２実施形態を概略的に示す。
【図３】バッグの正面側から見た、図２に示す第２実施形態の斜視図を示す。
【図４】バッグの閉止フラップ内に変化マットが格納された状態のバッグの斜視図を示す。
【図５】バッグの背面側から見た、図４に示す実施形態の斜視図である。
【図６】図４に示す実施形態の側面図である。
【発明を実施するための形態】
【０００７】
本願の第１実施形態に係る装置は、空気または他のガス、水または他の液体またはゲルによって満たされた薄い折りたたみ可能な計量パッドを含む。当該計量パッドは、その上に寝るか支持された小児の体重下のガス／液体／ゲルの圧力に応答するセンサを有する電気式測定デバイスと関連するパッドであってよい。圧力を電気出力に変化するために適した圧力センサが広く利用できる。測定デバイスの主な機能は、デバイスの制御回路は付加的な機能としてそれを表示するように構成されてもよいが、小児の絶対体重を表示することではなく、食事の後に増加する体重、または体重増加に直接関連する食後の吸入流体の重量、または逆に吐き出し後の体重減少／流体体積の損失を表示することである。測定デバイスのディスプレイ用のユーザ操作制御は、ユーザの選択により、重量を示す出力または体積を示す出力のいずれかに設定可能である。
【０００８】
本実施形態において、圧力パッドは、内側ポケットを有する薄いウォータープルーフかつ洗濯可能な変化マットと関連して使用されることを意図している。パッドは、内側ポケット内に挿入されるので土汚れが防止できる。変化マット自体がパッド機能を有してもよい。その結果、変化マットは、ある程度のパッド機能をもたらす圧力パッドとして使用され得る。ディスプレイおよびディスプレイの制御は、パッドが変化マット内のポケット内部にあるとき、ユーザはディスプレイを見ながら、簡単に制御することができる。通常の動作において、パッドを有する変化マット上の定位置に小児がまず配置されたとき、測定デバイスは食事前の小児の体重データを測定する。食事の間またはその後のいずれかでマット上に小児が配置されたとき、ディスプレイはユーザの選択により吸入重量の増加または体積の増加を表示する。好ましくは、測定デバイスは体重データを格納するためのメモリ機能を含む。好適には、データは、長時間保存できかつ続く解析用の外部コンピュータ、スマートフォン、またはＵＳＢスティックにダウンロードされる。この目的のために、測定デバイスはＵＳＢポートなどのデータ出力ポートを有する。
【０００９】
圧力パッドは、比較的薄くかつ小さい体積に折りたたむことができる。小さい体積に折りたたむことができる関連する変化マットととともに容易に格納および輸送できる。圧力パッドおよび変化マットは、おむつ、クリーム、および手ふきと一緒におむつバッグに容易に格納でき、または乳母車のトレイ上に配置することができる。
【００１０】
図１は、一方側に圧力パッド４用の広げられた状態のポケットを有し、他方の側に制御に関連するディスプレイ用のポケットおよびクリーム、おむつおよび手ふき用のポケットを有する変化マット２の実施形態を示す。格納のために、変化マットは、開いた状態から閉じた状態へ伸びる長手方向と直角の中心線に関して折りたたまれ、圧力パッドおよび他のコンテンツは折りたたんだ変化マットの内部に格納される。圧力パッド自体もまた折りたたみ可能であり、変化マットが折りたたまれて閉じられたとき、ポケット間に設けられたゾーンに関してさらに折りたたむこともできる。
【００１１】
圧力パッドと関連する変化マットは、周囲の任意の固定面に適用することができ、計量することができ、また、小児のおむつを取り替えることもできる。
【００１２】
上述したように、測定デバイスの制御回路は、吐き出し後の重量損失／体積損失または小児の絶対体重を示す出力を与える機能を有する。上記の例で、重量損失／体積損失は、メモリに格納された以前の体重測定値および吐き出し後の小児の体重に基づいて決定される。それは、放出された尿の体積を測定するべく、乾いたおむつと湿ったおむつの間の重量の差を決定するためにも使用できる。その場合、乾いたおむつの重量はその重量の計量を開始した後にメモリ内に半永久的に格納される。
【００１３】
測定デバイスは、バッテリー式または主バッテリー式であり、バッテリーは再充電可能な機能を有する汎用性のあるものが好ましい。
【００１４】
上述したように圧力パッドは、媒体で満たされている。好適な実施形態において、空気が充満しており、バッテリーにより動作する小型の電動ポンプによって、または小型の手動ポンプによって、圧力パッド４に空気が注入されて膨張する。パッドは折りたたんだ状態で容易に格納することができるように空気が抜かれる。空気の排気はパッドの構造内に組み込まれたエアーバルブを使って実行される。また、パッドに必要な機能に関して、長時間の間膨張したままの構造でなくてもよく、パッドの壁を通じて空気が漏れた結果、利用期間中にパッドの機能を実行することなく耐久性を保持してもよい。バッテリー式ポンプを使って膨張が実行されたとき、圧力が使用中に予め定められた最小値以下に下がる場合には、充満媒体の圧力を自動的に修正するための供給装置が組み込まれてもよい。
【００１５】
図２から６に記載の実施形態において、変化マット１０はキャリーバッグと一体的に構成され、２つ以上の折りたたみ可能なセクション１０ａ（本例では３つ）を含む。各セクション１０ａは、直列に並んだパッドによって測定される累積重量を示す出力を与えるべく配線接続されることをのぞいて、キッチンで使用されるものに類似した電気式パッドまたは負荷セルを含む。またはそれらが制御システム内に別々に入力されその後累積重量を決定する。図示された実施形態において、広げられた動作状態のマット１０はバッグの後側の側壁に隣接するバッグ１２の基部から伸長する。ディスプレイおよび関連する機能制御は、バッグ１２の側壁に設置され、図２に示すように、ユーザがはっきり見ることができる。不使用状態において、マットのセクション１０ａは折りたたまれ、その結果、折りたたんだマットは、その側壁に隣接して配置され、ディスプレイを包囲して保護する。マットは異なる脱着可能なファスナーシステムによって側壁に保持されてもよいが、好適実施形態において、バッグの反対側の上部エッジに枢着するフラップにより保護されてもよい。その位置に脱着可能に固定するべく折りたたんだマットの外面にわたって伸長するフラップによって、バッグの開放上端を閉止することができる。これにより、フラップ１４とバッグのボディとの間のストラップによって、または、フラップ１４の下側部と折りたたんだマットの下側部との間で脱着可能に固定すること（例えば、Ｖｅｌｃｒｏ（商標）として販売されているフックまたはループ式のファスナー）によって、これが達成できる。図４から６は、折りたたんだ格納状態を示す。
【００１６】
計量システムの制御回路は、上述した実施形態に関連して説明した異なる機能を与える。マットのそれぞれのセクション内での電気式計量パッドの使用は比較的薄くかつ格納状態でマットを容易に折りたたむ実施形態では特に好適であるが、マット１０は上記実施形態に関連して説明したような圧力パッドと代替されてもよい。
【００１７】
変化マットがバックの構造に一体化されたとしても、バッグ自体はスタイリッシュに構成される。折りたたんだ格納状態において、およびバッグの側壁に対して保持され、フラップによって上部が閉止された状態で、バッグはこの種の従来のバッグと見た目は区別できない。バッグの側面がマットを保持する図４から６に示すようなバッグの閉止格納状態において、バッグ１２がショルダーパックのように担がれているとき、実質的に平坦かつ邪魔にならない状態で、ユーザの体に対して通常は内側が接触しつづける。
【００１８】
修正例において、電気式計量パッドはマット内ではなくマットの外部に載置され、着脱可能なファスナー、例えば、掃除用に着脱可能なＶｅｌｃｒｏ（商標）として市販されているフックおよびループタイプのファスナーによって、マットに保持される。パッドが露出した状態で、これにより計量の正確さが増し、小児がマット自体の内部に隠されたパッドを不注意で押しつけることにより生じる誤動作を防止することができる。この変形例において、パッドは、プラグによってディスプレイを含む制御回路に着脱可能に接続されか、または、ディスプレイおよびパッドは変化マット１０とともにバッグから除去可能である。マット自体は、Ｖｅｌｃｒｏ（商標）として市販されているフックおよびテープファスナーのような着脱可能なファスナーによって、洗濯またはクリーニング用にバッグから着脱可能であってもよい。
【００１９】
実施形態は、特許請求の範囲に記載された発明の思想および態様の範囲内で、さまざま修正が可能であることは、当業者の知るところである。
【図１】
2014525029.tif 000003
【図２】
2014525029.tif 000004
【図３】
2014525029.tif 000005
【図４】
2014525029.tif 000006
【図５】
2014525029.tif 000007
【図６】
2014525029.tif 000008
【国際調査報告】
2014525029.tif 000009
2014525029.tif 000010